(57)【要約】  本発明の一実施形態は、たとえば、ＡＢＳの構成を決定するためにマクロセルｅＮｏｄｅＢまたはフェムトセルｅＮｏｄｅＢなど、第２のセルのｅＮｏｄｅＢを支援するためのメカニズムを提供する。具体的には、第１のセルのｅＮｏｄｅＢは、ＡＢＳの要件について通知するために、第２のセルのｅＮｏｄｅＢに要求シグナリングを送信する。第２のセルのｅＮｏｄｅＢは、第１のセルのｅＮｏｄｅＢから要求シグナリングを受信し、ＡＢＳのパターンを決定して、第１のセルのｅＮｏｄｅＢにシグナリングを通じてビットマップの形でＡＢＳのパターンを送信する。ＡＢＳの要件は、ＵＥの数および／またはピコセルの通信領域のエッジに近いＵＥのトラフィック負荷に基づいて第１のセルのｅＮｏｄｅＢによって決定されるため、第２のセルのｅＮｏｄｅＢがＡＢＳの構成、つまりＡＢＳのパターンを決定するのを支援できるため、効率的な資源利用が達成される。
2013541920.tif 000002
【特許請求の範囲】
【請求項１】
異機種ネットワークの第１のセルのｅＮｏｄｅＢにおいて、第２のセルのｅＮｏｄｅＢに要求シグナリングを送信する方法であって、
ｉ．前記第２のセルの前記ｅＮｏｄｅＢに要求シグナリングを送信するステップであって、前記要求シグナリングは、ほぼブランクのサブフレームの要件について、前記第２のセルの前記ｅＮｏｄｅＢに通知するために使用されるステップ
を含む方法。
【請求項２】
前記ステップｉは、
前記第１のセルの通信領域のエッジに近いユーザー装置の数および／または前記ユーザー装置のトラフィック負荷に基づいて、ほぼブランクのサブフレームの前記要件を決定するステップ
をさらに含む、請求項１に記載の方法。
【請求項３】
ほぼブランクのサブフレームの前記要件は、
ほぼブランクのサブフレームの比率を増加させること、
ほぼブランクのサブフレームの前記比率を減少させること、
ほぼブランクのサブフレームの前記比率を変更せずに維持すること、
ほぼブランクのサブフレームの前記比率をゼロに設定すること、
ほぼブランクのサブフレームの割り当てを以前のレベルに戻すこと、
特定の比率のほぼブランクのサブフレームを要求すること、
特定のパターンのほぼブランクのサブフレームを要求すること
のいずれか１つを含む、請求項１に記載の方法。
【請求項４】
ｂ．前記第２のセルの前記ｅＮｏｄｅＢから承認シグナリングを受信するステップであって、前記承認シグナリングは、前記要求シグナリングの受信について、前記第１のセルの前記ｅＮｏｄｅＢに通知するために使用されるステップ
をさらに含む、請求項１に記載の方法。
【請求項５】
前記第１のセルおよび前記第２のセルは、
前記第１のセルはピコセルであり、かつ前記第２のセルはマクロセルである、
前記第１のセルはマクロセルであり、かつ前記第２のセルはフェムトセルである、
のいずれか１つとして構成される、請求項１に記載の方法。
【請求項６】
異機種ネットワークの第２のセルのｅＮｏｄｅＢにおいて、ほぼブランクのサブフレームのパターンを決定する方法であって、
Ｉ．第１のセルのｅＮｏｄｅＢから要求シグナリングを受信するステップであって、前記要求シグナリングは、前記第１のセルの前記ｅＮｏｄｅＢのほぼブランクのサブフレームの要件を含むステップと、
ＩＩ．ほぼブランクのサブフレームの前記パターンを決定するためのステップと、
ＩＩＩ．前記第１のセルの前記ｅＮｏｄｅＢにシグナリングを通じてビットマップの形でほぼブランクのサブフレームの前記パターンを送信するステップであって、ほぼブランクのサブフレームの前記パターンは、一連のサブフレームにおいて前記ほぼブランクのサブフレームを示すために使用されるステップと
を含む方法。
【請求項７】
前記ステップＩＩは、
前記要求シグナリングのほぼブランクのサブフレームの前記要件および／または前記第２のセルの前記ｅＮｏｄｅＢによってサービスを提供されるユーザー装置のトラフィック負荷に基づいて、ほぼブランクのサブフレームの前記パターンを決定するステップ
をさらに含む、請求項６に記載の方法。
【請求項８】
前記第１のセルの前記ｅＮｏｄｅＢに承認シグナリングを送信するステップであって、前記承認シグナリングは、前記要求シグナリングの受信について前記第１のセルの前記ｅＮｏｄｅＢに通知するために使用されるステップ
をさらに含む、請求項６に記載の方法。
【請求項９】
異機種ネットワークの第１のセルのｅＮｏｄｅＢにおいて、第２のセルのｅＮｏｄｅＢに要求シグナリングを送信するための装置であって、
前記第２のセルの前記ｅＮｏｄｅＢに要求シグナリングを送信するように構成された第１の送信手段であって、前記要求シグナリングは、ほぼブランクのサブフレームの要件について、前記第２のセルの前記ｅＮｏｄｅＢに通知するために使用される第１の送信手段
を含む装置。
【請求項１０】
第１の送信手段は、前記第１のセルの通信領域のエッジに近いユーザー装置の数および／または前記ユーザー装置のトラフィック負荷に基づいて、ほぼブランクのサブフレームの前記要件を決定するようにさらに構成される、請求項９に記載の装置。
【請求項１１】
ほぼブランクのサブフレームの前記要件は、
ほぼブランクのサブフレームの比率を増加させること、
ほぼブランクのサブフレームの前記比率を減少させること、
ほぼブランクのサブフレームの前記比率を変更せずに維持すること、
ほぼブランクのサブフレームの前記比率をゼロに設定すること、
ほぼブランクのサブフレームの割り当てを以前のレベルに戻すこと、
特定の比率のほぼブランクのサブフレームを要求すること、
特定のパターンのほぼブランクのサブフレームを要求すること
のいずれか１つを含む、請求項９に記載の装置。
【請求項１２】
前記第２のセルの前記ｅＮｏｄｅＢから承認シグナリングを受信するように構成された第１の受信手段であって、前記承認シグナリングは、前記要求シグナリングの受信について、前記第１のセルの前記ｅＮｏｄｅＢに通知するために使用される第１の受信手段をさらに含む、請求項９に記載の装置。
【請求項１３】
異機種ネットワークの第２のセルのｅＮｏｄｅＢにおいて、ほぼブランクのサブフレームのパターンを決定するための装置であって、
第１のセルのｅＮｏｄｅＢから要求シグナリングを受信するように構成された第２の受信手段であって、前記要求シグナリングは、前記第１のセルの前記ｅＮｏｄｅＢのほぼブランクのサブフレームの要件を含む第２の受信手段と、
ほぼブランクのサブフレームの前記パターンを決定するように構成された決定手段と、
前記第１のセルの前記ｅＮｏｄｅＢにシグナリングを通じてビットマップの形でほぼブランクのサブフレームの前記パターンを送信するように構成された第２の送信手段であって、ほぼブランクのサブフレームの前記パターンは、一連のサブフレームにおいて前記ほぼブランクのサブフレームを示すために使用される第２の送信手段と
を含む装置。
【請求項１４】
前記決定手段は、前記要求シグナリングのほぼブランクのサブフレームの前記要件および／または前記第２のセルの前記ｅＮｏｄｅＢによってサービスを提供されるユーザー装置のトラフィック負荷に基づいて、ほぼブランクのサブフレームの前記パターンを決定するようにさらに構成される
請求項１３に記載の装置。
【請求項１５】
前記第１のセルの前記ｅＮｏｄｅＢに承認シグナリングを送信するように構成された第３の送信手段であって、前記承認シグナリングは、前記要求シグナリングの受信について前記第１のセルの前記ｅＮｏｄｅＢに通知するために使用される第３の送信手段
をさらに含む、請求項１３に記載の装置。
【発明の詳細な説明】
【技術分野】
【０００１】
本発明は異機種ネットワークに関し、詳細には、異機種ネットワークにおけるｅＮｏｄｅＢに関する。
【背景技術】
【０００２】
異機種ネットワーク（ＨｅｔＮｅｔ）は、ＬＴＥ−Ａワーク・アイテムの範囲に追加されており、現在では、同一チャネルＨｅｔＮｅｔ展開のために拡張されたセル間干渉調整（ｅｌＣＩＣ）が、リリース１０の重要な技術的要点の１つである。
【０００３】
同一チャネルＨｅｔＮｅｔは、マクロセル、および同じ周波数チャネルで動作するスモール・セルを含む。そのような展開では、新しいＩＣＩＣ技術が必要ないくつかの特定の干渉シナリオが提示される。
【０００４】
一シナリオでは、スモール・セルはピコセルであり、マクロセルラー・ネットワークのユーザーに開放されている。そのようなピコセルが、総トラフィック負荷の有益な割り当て分を運ぶことを保証するために、たとえば、関連するピコセルを選択するＳＩＮＲしきい値にバイアスをかけることによって、ユーザー装置（ＵＥ）は、マクロセルではなくピコセルに優先的に関連するようにプログラムすることができる。そのような条件では、ピコセルの通信領域のエッジの近くにあるＵＥは、１つまたは複数のマクロセルから強力な干渉を受けるだろう。そのような干渉を緩和するために、マクロセルにおいて、一部のサブフレームは「ブランク」または「ほぼブランク（ａｌｍｏｓｔ  ｂｌａｎｋ）」として構成することができる。ブランクのサブフレームは、マクロセルからの伝送を含んでおらず、一方、「ほぼブランク」のサブフレームは、典型的にはデータ伝送を含んでおらず、制御信号伝送をほとんどまたはまったく含んでいないが、測定のために参照信号の検出を期待しているが、ほぼブランクのサブフレームの構成を認識しないリリース８／９のＵＥとの後方互換性を保証するために参照信号伝送を含む。ほぼブランクのサブフレームは、また、同期信号、ブロードキャスト制御情報、および／またはページング信号を含むことができる。簡潔さのために、今後はブランクおよびほぼブランクのサブフレームは、ほぼブランクのサブフレーム（短縮して「ＡＢＳ」という用語）と呼ぶ。
【０００５】
ＡＢＳを効果的に使用するには、ＬＴＥでは「Ｘ２」インターフェースとして知られている、対応するバックホール・インターフェースを横断してマクロセルからピコセルにＡＢＳのパターンを送信するためにシグナリングが必要である。ＬＴＥリリース１０では、このシグナリングは、ＡＢＳのパターンを示すために調整ビットマップ（ｃｏｏｒｄｉｎａｔｉｏｎ  ｂｉｔｍａｐ）の形をとることが合意されており、たとえば、各ビットは、一連のサブフレームの１つのサブフレームに対応し、ビットの値は、サブフレームがＡＢＳかどうかを示している。詳細については、Ｒｌ−１０５７７９「Ｗａｙ  Ｆｏｒｗａｒｄ  ｏｎ  ｔｉｍｅ−ｄｏｍａｉｎ  ｅｘｔｅｎｓｉｏｎ  ｏｆ  Ｒｅｌ  ８／９  ｂａｃｋｈａｕｌ−ｂａｓｅｄ  ＩＣＩＣ」を参照すること。そのようなシグナリングは、干渉を回避するために、たとえば、ＡＢＳの間にピコセルのエッジの近くにあるＵＥに伝送をスケジューリングすることによって、ピコセルのデータ伝送をピコセルが適切にスケジューリングし、マクロセルラー干渉が小さく、したがってＲＲＭ／ＲＬＭ／ＣＳＩ測定に使用されるべきであるサブフレームをＵＥに信号で送るのを支援することができる。
【０００６】
構成する必要のあるＡＢＳの数は、ピコセルでのトラフィック負荷などの要素に依存することになる。しかし、これまでのところ、構成するＡＢＳの有益な数およびパターンを決定するのを支援するためにマクロセルを支援するためのメカニズムは合意されていない。
【０００７】
他の同様のシナリオでは、スモール・セルは、限定加入者グループ（ＣＳＧ）単位で動作するフェムトセルであり、したがって、典型的には、マクロセルラー・ネットワークのユーザーに開放されていない。この場合、フェムトｅＮｏｄｅＢに近づいたときに、フェムトセルは、マクロセルＵＥに対して強力な干渉を引き起こす場合がある。次に、特定数のＡＢＳがフェムトセルによって提供されるようにマクロセルが要求することが有益な場合がある。そのような干渉を緩和するために、一部のサブフレームはＡＢＳとして構成することができる。
【０００８】
したがって、このシナリオでは、同様に、構成するＡＢＳの有益な数およびパターンを決定するためにフェムトセルを支援するためのメカニズムも必要である。
【先行技術文献】
【非特許文献】
【０００９】
【非特許文献１】Ｒ１−１０５７７９「Ｗａｙ  Ｆｏｒｗａｒｄ  ｏｎ  ｔｉｍｅ−ｄｏｍａｉｎ  ｅｘｔｅｎｓｉｏｎ  ｏｆ  Ｒｅｌ  ８／９  ｂａｃｋｈａｕｌ−ｂａｓｅｄ  ＩＣＩＣ」
【発明の概要】
【課題を解決するための手段】
【００１０】
上記の欠点に対処するために、ほぼブランクのサブフレーム（ＡＢＳ）の構成、つまり、ほぼブランクのサブフレームのパターン（ＡＢＳのパターン）を決定するために、上記の第１のシナリオのマクロセルまたは上記の第２のシナリオのフェムトセルを支援するためのメカニズムが、本発明の一実施形態に従って提供される。
【００１１】
本発明の第１の態様によると、異機種ネットワークの第１のセルのｅＮｏｄｅＢにおいて、第２のセルのｅＮｏｄｅＢに要求シグナリングを送信する方法であって、ｉ．第２のセルのｅＮｏｄｅＢに要求シグナリングを送信するステップであって、要求シグナリングは、ほぼブランクのサブフレームの要件について、第２のセルのｅＮｏｄｅＢに通知するために使用されるステップを含む方法が提供される。
【００１２】
本発明の第２の態様によると、異機種ネットワークの第２のセルのｅＮｏｄｅＢにおいて、ほぼブランクのサブフレームのパターンを決定する方法であって、Ｉ．第１のセルのｅＮｏｄｅＢから要求シグナリングを受信するステップであって、要求シグナリングは、第１のセルのｅＮｏｄｅＢのほぼブランクのサブフレームの要件を含むステップと、ＩＩ．ほぼブランクのサブフレームのパターンを決定するためのステップと、ＩＩＩ．第１のセルのｅＮｏｄｅＢにシグナリングを通じてビットマップの形でほぼブランクのサブフレームのパターンを送信するステップであって、ほぼブランクのサブフレームのパターンは、一連のサブフレームにおいてほぼブランクのサブフレームを示すために使用されるステップとを含む方法が提供される。
【００１３】
本発明の第３の態様によると、異機種ネットワークの第１のセルのｅＮｏｄｅＢにおいて、第２のセルのｅＮｏｄｅＢに要求シグナリングを送信するための装置であって、第２のセルのｅＮｏｄｅＢに要求シグナリングを送信するように構成された第１の送信手段であって、要求シグナリングは、ほぼブランクのサブフレームの要件について、第２のセルのｅＮｏｄｅＢに通知するために使用される第１の送信手段を含む装置が提供される。
【００１４】
本発明の第４の態様によると、異機種ネットワークの第２のセルのｅＮｏｄｅＢにおいて、ほぼブランクのサブフレームのパターンを決定する装置であって、第１のセルのｅＮｏｄｅＢから要求シグナリングを受信するように構成された第２の受信手段であって、要求シグナリングは、第１のセルのｅＮｏｄｅＢのほぼブランクのサブフレームの要件を含む第２の受信手段と、ほぼブランクのサブフレームのパターンを決定するように構成された決定手段と、第１のセルのｅＮｏｄｅＢにシグナリングを通じてビットマップの形でほぼブランクのサブフレームのパターンを送信するように構成された第２の送信手段であって、ほぼブランクのサブフレームのパターンは、一連のサブフレームにおいてほぼブランクのサブフレームを示すために使用される第２の送信手段とを含む装置が提供される。
【００１５】
本発明では、要求シグナリングが規定され、ＡＢＳの要件について通知するために、たとえば、ＡＢＳの比率を増加／減少させることをマクロセルｅＮｏｄｅＢに推奨するために、第１のセルのｅＮｏｄｅＢ、たとえばピコセルｅＮｏｄｅＢから、第２のセルのｅＮｏｄｅＢ、たとえばマクロセルｅＮｏｄｅＢに送信される。要求シグナリングにおけるＡＢＳの要件は、ピコセルの通信領域のエッジに近いＵＥの数および／またはピコセルの通信領域のエッジに近いＵＥのトラフィック負荷に基づいてピコセルｅＮｏｄｅによって決定されるため、マクロセルｅＮｏｄｅＢがＡＢＳの構成、つまりＡＢＳのパターンを決定するのを支援できるため、効率的な資源利用が達成される。
【００１６】
本発明の他の機能、態様、および利点は、添付した図面の助けを借りて、限定を目的としない複数の実施形態に関する以下の記述を読むことによって明白になるだろう。
【図面の簡単な説明】
【００１７】
【図１】本発明の一実施形態によるＨｅｔＮｅｔの概略図である。
【図２】本発明の一実施形態によるＡＢＳを要求する方法の流れ図である。
【図３】本発明の一実施形態によるＡＢＳを要求するための装置のブロック図である。
【発明を実施するための形態】
【００１８】
本発明の技術的解決策を実現するために、干渉調整のために新しいＸ２シグナリングとして、新しい要求シグナリングが規定される。要求シグナリングは、第１のセルのｅＮｏｄｅＢによって第２のセルのｅＮｏｄｅＢに送信され、要求シグナリングは、ＡＢＳの要件について第２のセルのｅＮｏｄｅＢに通知するために使用される。
【００１９】
一シナリオでは、第１のセルは、ピコセルでもよく、また第２のセルはマクロセルでもよい。このシナリオでは、ピコセルの通信領域のエッジの近くのＵＥは、マクロセルからの強力な干渉を受ける場合がある。そのような干渉を緩和するために、ＡＢＳの要件について通知するために、要求シグナリングは、ピコセルのｅＮｏｄｅＢによってマクロセルのｅＮｏｄｅＢに送信される。
【００２０】
他のシナリオでは、第１のセルはマクロセルでもよく、また、第２のセルはフェムトセルでもよい。このシナリオでは、フェムトセルｅＮｏｄｅＢに近づいたときに、フェムトセルは、マクロセルＵＥに対して強力な干渉を引き起こす場合がある。そのような干渉を緩和するために、ＡＢＳの要件について通知するために、要求シグナリングは、マクロセルのｅＮｏｄｅＢによってフェムトセルのｅＮｏｄｅＢに送信される。
【００２１】
以下、説明のみを目的として、本発明の技術的解決策は、説明のための第１のセルの例としてピコセル、および説明のための第２のセルの例としてマクロセルを使用して記述することとなる。当業者は、第１のセルとしてのマクロセルおよび第２のセルとしてのフェムトセルに関して、技術的解決策の実装を完全に理解できることを理解されたい。
【００２２】
図１は、本発明の一実施形態によるＨｅｔＮｅｔの概略図を示し、ＨｅｔＮｅｔは、マクロセルｅＮｏｄｅＢ１０、ピコセルｅＮｏｄｅＢ２０、およびピコセルの通信領域のエッジに近くにあり、マクロセルからの強力な干渉を受ける３つのピコセルＵＥ２１、２２、２３を含む。簡単にするために、ピコセルの通信領域のエッジに近くないマクロセルＵＥおよび他のピコセルＵＥは、図１に示していない。
【００２３】
図２は、本発明の一実施形態によるＡＢＳを要求する方法の流れ図を示している。以下、ＡＢＳを要求する方法は、図２を参照して、かつ図１に関連して記述することとなる。
【００２４】
第１に、ステップＳ１１において、ピコセルｅＮｏｄｅＢ２０は、Ｘ２インターフェースを通じてマクロセルｅＮｏｄｅＢ１０に要求シグナリングを送信する。要求シグナリングは、ほぼブランクのサブフレーム（ＡＢＳ）の要件について、マクロセルｅＮｏｄｅＢ１０に通知するために使用される。有利なことに、ピコセルｅＮｏｄｅＢ２０は、ピコセルの通信領域のエッジに近いＵＥの数および／またはピコセルの通信領域のエッジに近いＵＥのトラフィック負荷に基づいてＡＢＳの要件を決定する。
【００２５】
次に、ピコセルｅＮｏｄｅＢ２０は、ＡＢＳのために決定した要件に基づいて要求シグナリングを生成し、マクロセルｅＮｏｄｅＢ１０に要求シグナリングを送信する。
【００２６】
必要に応じて、要求シグナリングに含まれているＡＢＳの要件は、以下のうちの１つであってよい。
−ＡＢＳの比率を増加させること
−ＡＢＳの比率を減少させること
−ＡＢＳの比率を変更せずに維持すること
−ＡＢＳの比率をゼロに設定すること
−ＡＢＳの比率を以前のレベルに戻すこと
−特定の比率のＡＢＳを要求すること
−特定のパターンのＡＢＳを要求すること
【００２７】
ＡＢＳの要件は、上記の形式を含むが、これらに限定されないことに注意されたい。
【００２８】
さらに、ＡＢＳの比率を増加させることは、ＡＢＳの比率を１ステップ、２ステップ、または３ステップなど増加させることを含むことができる。
【００２９】
同様に、ＡＢＳの比率を減少させることは、ＡＢＳの比率を１ステップ、２ステップ、または３ステップなど減少させることを含むことができる。有利なことに、要求シグナリングの内容のタイプはビット文字列である。すなわち、ＡＢＳの要件は、ビット文字列の形をしている。
【００３０】
一実施形態では、ビット文字列は、ＡＢＳの比率の増加／減少を表すことができる。たとえば、ビット文字列の長さは２ビットであり、「００」は「ＡＢＳの比率の増加」を表すことができ、「０１」は「ＡＢＳの比率の減少」を表すことができ、「１０」は「ＡＢＳの比率を変更せずに維持すること」を表すことができ、かつ「１１」は予約されていることが想定される。ピコセルｅＮｏｄｅＢ２０がＡＢＳの比率を増加させたい場合、たとえば、ピコセルｅＮｏｄｅＢ２０が、ピコセルの通信領域のエッジに近いＵＥのトラフィック負荷が増加したことを検出した場合、ピコセルｅＮｏｄｅＢ２０は、要求シグナリングに２ビットの「００」を入れ、マクロセルｅＮｏｄｅＢ１０に要求シグナリングを送信して、マクロセルｅＮｏｄｅＢ１０に、たとえば、１２．５％（つまり８つのサブフレームのうち１つのＡＢＳ）から２５％（つまり８つのサブフレームのうち２つのＡＢＳ）に、または２５％から３７．５％（つまり８つのサブフレームのうち３つのＡＢＳ）にＡＢＳの比率を増加させることを推奨する。
【００３１】
ピコセルｅＮｏｄｅＢ２０がＡＢＳの比率を減少させたい場合、たとえば、ピコセルｅＮｏｄｅＢ２０が、ピコセルの通信領域のエッジに近いＵＥのトラフィック負荷が減少したことを検出した場合、ピコセルｅＮｏｄｅＢ２０は、要求シグナリングに２ビットの「０１」を入れ、マクロセルｅＮｏｄｅＢ１０に要求シグナリングを送信して、マクロセルｅＮｏｄｅＢ１０に、たとえば、５０％（つまり８つのサブフレームのうち４つのＡＢＳ）から３７．５％に、または１２．５％から０％（つまり８つのサブフレームのうちＡＢＳなし）にＡＢＳの比率を減少させることを推奨する。ＦＤＤに対して８ミリ秒のＨＡＲＱ  ＲＴＴタイミングを維持するために、１２．５％というＡＢＳの比率は、ＡＢＳの有益な最低の比率であることに注意されたい。
【００３２】
ピコセルｅＮｏｄｅＢ２０がＡＢＳの比率を変更せずに維持したい場合、ピコセルｅＮｏｄｅＢは、要求シグナリングに２ビットの「１０」を入れ、マクロセルｅＮｏｄｅＢ１０に要求シグナリングを送信して、マクロセルｅＮｏｄｅＢ１０にＡＢＳの比率を変更せずに維持することを推奨する。
【００３３】
「ＡＢＳの比率を変更せずに維持する」は、要求シグナリングがないことから理解できるため、「ＡＢＳの比率を変更せずに維持する」という項目は必要ないことに注意されたい。
【００３４】
この実施形態では、「１１」は予約されているが、当業者であれば、「１１」は、たとえば、「ＡＢＳの比率をゼロに設定すること」、または「ＡＢＳの比率を以前のレベルに戻すこと」などを表すために使用できることを理解することができる。
【００３５】
「００」、「０１」、「１０」、「１１」というビット文字列は、上記の表現に限定されないことを理解されたい。一例では、「００」は、１ステップずつのＡＢＳの比率の「増加」を表すことができ、「０１」は、１ステップずつのＡＢＳの比率の「減少」を表すことができ、「１０」は、２ステップずつのＡＢＳの比率の「増加」を表すことができ、「１１」は、２ステップずつのＡＢＳの比率の「減少」を表すことができる。ピコセルｅＮｏｄｅＢ２０が、ピコセルの通信領域のエッジに近いＵＥのトラフィック負荷がわずかに上昇したことを検出した場合、ピコセルｅＮｏｄｅＢ２０は、要求シグナリングに２ビットの「００」を入れ、マクロセルｅＮｏｄｅＢ１０に要求シグナリングを送信して、マクロセルｅＮｏｄｅＢ１０に、１ステップだけ、たとえば１２．５％から２５％にＡＢＳの比率を増加させることを推奨する。ピコセルｅＮｏｄｅＢ２０が、ピコセルの通信領域のエッジに近いＵＥのトラフィック負荷が劇的に上昇したことを検出した場合、ピコセルｅＮｏｄｅＢ２０は、要求シグナリングに２ビットの「１０」を入れ、マクロセルｅＮｏｄｅＢ１０に要求シグナリングを送信して、マクロセルｅＮｏｄｅＢ１０に２ステップだけ、たとえば１２．５％から３７．５％にＡＢＳの比率を増加させることを推奨する。
【００３６】
他の実施形態では、ビット文字列は、ピコセルｅＮｏｄｅＢ２０が必要とするＡＢＳの比率を直接的に表すことができる。たとえば、ビット文字列の長さは３ビットであり、「０００」は０％を表すことができ、「００１」は１２．５％を表すことができ、「０１０」は「２５％」を表すことができ、「０１１」は「３７．５％」を表すことができ、「１００」は「５０％」を表すことができ、かつ「１０１−１１１」は予約されていることが想定される。
【００３７】
さらなる実施形態では、ビット文字列は、マクロセルｅＮｏｄｅＢ１０から受信することをピコセルｅＮｏｄｅＢ２０が期待するＡＢＳのパターンを直接的に表すことができる。マクロセルｅＮｏｄｅＢ１０からピコセルｅＮｏｄｅＢ２０に送信されたＡＢＳのパターンを示すビットマップは、望ましい４０ビットであるため、ビット文字列の長さは４０ビットであり、ビット文字列の「０」は正常なサブフレームを意味することができ、ビット文字列の「１」はほぼブランクのサブフレームを意味することができ、または逆もまた同様であることが想定される。
【００３８】
要求シグナリングは、イベント・トリガリング（ｅｖｅｎｔ  ｔｒｉｇｇｅｒｉｎｇ）でもよく、またはピコセルｅＮｏｄｅＢ２０からマクロセルｅＮｏｄｅＢ１０に定期的に送信できることに注意されたい。
【００３９】
ピコセルｅＮｏｄｅＢ２０がマクロセルｅＮｏｄｅＢ１０に要求シグナリングを送信した後、ステップＳ１２において、マクロセルｅＮｏｄｅＢ１０は、ピコセルｅＮｏｄｅＢ２０から要求シグナリングを受信する。
【００４０】
要求シグナリングを受信した後、ステップＳ１３において、マクロセルｅＮｏｄｅＢ１０は、ＡＢＳのパターンを決定する。
【００４１】
具体的には、マクロセルｅＮｏｄｅＢ１０は、要求シグナリングにおけるＡＢＳの要件に基づいてＡＢＳのパターンを決定することができる。
【００４２】
以下、「要求シグナリングにおけるＡＢＳの要件に基づいてＡＢＳのパターンを決定する」ステップは、「ビット文字列は、ＡＢＳの比率の増加／減少を表すことができる」の上記の実施形態に関して記述され、ビット文字列の長さは２ビットであり、「００」は「ＡＢＳの比率の増加」を表すことができ、「０１」は「ＡＢＳの比率の減少」を表すことができ、「１０」は「ＡＢＳの比率を変更せずに維持すること」を表すことができ、かつ「１１」は予約されている。
【００４３】
第一に、マクロセルｅＮｏｄｅＢ１０は、要求シグナリングにおけるＡＢＳの要件を取得し、次にＡＢＳの要件の形式を決定する。
【００４４】
ＡＢＳの要件が「００」である場合、マクロセルｅＮｏｄｅＢ１０は、ＡＢＳの比率を増加させる。ＡＢＳのパターンを示すビットマップが、以前にマクロセルｅＮｏｄｅＢ１０からピコセルｅＮｏｄｅＢ２０に送信されていない場合、マクロセルｅＮｏｄｅＢ１０は、ＡＢＳの最小の比率、たとえば１２．５％でビットマップを開始することに注意されたい。
【００４５】
ＡＢＳの要件が「０１」である場合、マクロセルｅＮｏｄｅＢ１０は、ＡＢＳの比率を減少させる。
【００４６】
ＡＢＳの要件が「１０」である場合、マクロセルｅＮｏｄｅＢ１０は、変更することなくＡＢＳの現在の比率を維持する。
【００４７】
確かに、マクロセルｅＮｏｄｅＢ１０は、要求シグナリングでＡＢＳの要件を無視することができ、マクロセルｅＮｏｄｅＢ１０によってサービスを提供されるＵＥのトラフィック負荷のみに基づいて、ＡＢＳのパターンを決定する。たとえば、マクロセルｅＮｏｄｅＢ１０によってサービスを提供されるＵＥのトラフィック負荷がかなり重い場合、マクロセルｅＮｏｄｅＢ１０は、ＡＢＳの要件を無視し、マクロセルｅＮｏｄｅＢ１０によってサービスを提供されるＵＥのトラフィック負荷のみに基づいてＡＢＳのパターンを決定する。
【００４８】
好ましくは、マクロセルｅＮｏｄｅＢ１０は、要求シグナリングのＡＢＳの要件およびマクロセルｅＮｏｄｅＢ１０によってサービスを提供されるＵＥのトラフィック負荷に基づいてＡＢＳのパターンを決定することができる。
【００４９】
ＡＢＳのパターンを決定した後、ステップＳ１４において、マクロセルｅＮｏｄｅＢ１０は、ピコセルｅＮｏｄｅＢ２０へのシグナリングを通じてビットマップの形でＡＢＳのパターンを送信する。マクロセルｅＮｏｄｅＢ１０から受信されたＡＢＳの決定したパターンを用いて、ピコセルｅＮｏｄｅＢ２０は、たとえば、ほぼブランクのサブフレームの間にピコセルの通信領域のエッジの近くのＵＥへの伝送をスケジューリングすることによって、干渉を回避するためにピコセルのデータ伝送を適切にスケジューリングすることができる。
【００５０】
必要に応じて、ピコセルｅＮｏｄｅＢ２０から要求シグナリングを受信した後、マクロセルｅＮｏｄｅＢ１０は、ピコセルｅＮｏｄｅＢ２０に承認シグナリングを送信して、要求シグナリングの受信について通知することができる。承認シグナリングのフィードバックは必要ではないことに注意されたい。
【００５１】
図３は、本発明の一実施形態によるＡＢＳを要求するための装置のブロック図である。
【００５２】
第１に、ピコセルｅＮｏｄｅＢ２０における装置２０１の第１の送信手段２０１１は、Ｘ２インターフェースを通じてマクロセルｅＮｏｄｅＢ１０に要求シグナリングを送信する。要求シグナリングは、ほぼブランクのサブフレーム（ＡＢＳ）の要件について、マクロセルｅＮｏｄｅＢ１０に通知するために使用される。
【００５３】
有利なことに、第１の送信手段２０１１は、最初に、ピコセルの通信領域のエッジに近いＵＥの数および／またはピコセルの通信領域のエッジに近いＵＥのトラフィック負荷に基づいてＡＢＳの要件を決定する。
【００５４】
次に、第１の送信手段２０１１は、決定したＡＢＳの要件に基づいて要求シグナリングを生成し、マクロセルｅＮｏｄｅＢ１０に要求シグナリングを送信する。必要に応じて、要求シグナリングに含まれているＡＢＳの要件は、以下のうちの１つであってよい。
−ＡＢＳの比率を増加させること
−ＡＢＳの比率を減少させること
−ＡＢＳの比率を変更せずに維持すること
−ＡＢＳの比率をゼロに設定すること
−ＡＢＳの比率を以前のレベルに戻すこと
−特定の比率のＡＢＳを要求すること
−特定のパターンのＡＢＳを要求すること
【００５５】
ＡＢＳの要件は、上記の形式を含むが、これらに限定されないことに注意されたい。
【００５６】
第１の送信手段２０１１がマクロセルｅＮｏｄｅＢ１０に要求シグナリングを送信した後、マクロセルｅＮｏｄｅＢ１０における装置１０１の第２の受信手段１０１１は、ピコセルｅＮｏｄｅＢ２０から要求シグナリングを受信する。
【００５７】
要求シグナリングを受信した後、マクロセルｅＮｏｄｅＢ１０における装置１０１の決定手段１０１２は、ＡＢＳのパターンを決定する。
【００５８】
具体的には、決定手段１０１２は、要求シグナリングのＡＢＳの要件に基づいてＡＢＳのパターンを決定することができる。
【００５９】
確かに、決定手段１０１２は、要求シグナリングのＡＢＳの要件を無視することができ、マクロセルｅＮｏｄｅＢ１０によってサービスを提供されるＵＥのトラフィック負荷のみに基づいてＡＢＳのパターンを決定する。
【００６０】
好ましくは、決定手段１０１２は、要求シグナリングのＡＢＳの要件およびマクロセルｅＮｏｄｅＢ１０によってサービスを提供されるＵＥのトラフィック負荷に基づいてＡＢＳのパターンを決定することができる。
【００６１】
決定手段１０１２がＡＢＳのパターンを決定した後、マクロセルｅＮｏｄｅＢ１０における装置１０１の第２の送信手段１０１３は、ピコセルｅＮｏｄｅＢ２０にシグナリングを通じてビットマップの形でＡＢＳのパターンを送信する。マクロセルｅＮｏｄｅＢ１０から受信されたＡＢＳの決定したパターンを用いて、ピコセルｅＮｏｄｅＢ１０は、たとえば、ほぼブランクのサブフレームの間にピコセルの通信領域のエッジの近くのＵＥへの伝送をスケジューリングすることによって、干渉を回避するためにピコセルのデータ伝送を適切にスケジューリングすることができる。
【００６２】
必要に応じて、第２の受信手段１０１１がピコセルｅＮｏｄｅＢ２０から要求シグナリングを受信した後、マクロセルｅＮｏｄｅＢ１０における装置１０１の第３の送信手段（図３に図示せず）は、要求シグナリングの受信について通知するために、ピコセルｅＮｏｄｅＢ２０に承認シグナリングを送信することができる。次に、ピコセルｅＮｏｄｅＢ２０における装置２０１の第１の受信手段（図３に図示せず）は、承認シグナリングを受信する。
【００６３】
承認シグナリングのフィードバックは必要ではないことに注意されたい。
【００６４】
前述の実施形態は、本発明を限定するためではなく説明するためのものであり、当業者は、添付された特許請求の範囲から逸脱することなく代替実施形態を設計できるだろうことに注意されたい。特許請求の範囲では、括弧の間に配置された引用符号は、請求項を限定するものとして解釈されないものとする。「含む」という言葉は、特許請求の範囲または記述に記載されていない要素またはステップの存在を除外するものではない。要素の前にある「１つの（ａ）」または「１つの（ａｎ）」という言葉は、そのような要素が複数存在することを除外するものではない。複数のユニットを列挙する装置の請求項において、これらの複数のユニットは、ハードウェアまたはソフトウェアによる１つの同じ要素によって具体化することができる。第１、第２、第３などの言葉の使用は、順序を示すものではない。これらの単語は、名前として解釈されたい。
【図１】
2013541920.tif 000003
【図２】
2013541920.tif 000004
【図３】
2013541920.tif 000005
【国際調査報告】
2013541920.tif 000006
2013541920.tif 000007